(57)【要約】【課題】ノイズの発生源がジョブの種別に応じて様々に変化する場合であっても、マイクが音声に加えてノイズを検出してしまうことを極力防止できる。【解決手段】音声を検出するマイク１８０と、ジョブを実行する実行部１０７と、マイク１８０による音声の検出位置を切換えるための切換制御を、ジョブに応じて実行する切換部２０８とを備える。【選択図】図４
2020155804.tif 000002
【特許請求の範囲】
【請求項１】
音声を検出するマイクと、
ジョブを実行する実行部と、
前記マイクによる音声の検出位置を切換えるための切換制御を、前記ジョブに応じて実行する切換部とを備える、画像形成装置。
【請求項２】
前記マイクによる音声の検出位置は、第１位置と、前記実行部により実行されている前記ジョブに起因するノイズの発生源までの距離が前記第１位置よりも遠い第２位置とを含む、請求項１に記載の画像形成装置。
【請求項３】
前記マイクによる音声の検出位置は、第１位置と、ユーザーまでの距離が該第１位置よりも近い第２位置とを含む、請求項１または請求項２に記載の画像形成装置。
【請求項４】
前記マイクが配置された可動装置をさらに備え、
前記可動装置が駆動することにより、前記マイクによる音声の検出位置を前記第１位置から前記第２位置に切換える、請求項２または請求項３に記載の画像形成装置。
【請求項５】
前記切換制御は、前記可動装置を駆動する制御である、請求項４に記載の画像形成装置。
【請求項６】
前記切換制御は、前記可動装置を駆動することをユーザーに促進する制御である、請求項４に記載の画像形成装置。
【請求項７】
前記切換部が前記切換制御を実行する契機は、前記マイクが音声を検出したという契機を含む、請求項５または請求項６に記載の画像形成装置。
【請求項８】
前記切換部が前記切換制御を実行する契機は、前記画像形成装置に原稿がセットされたという契機を含む、請求項５〜請求項７のいずれか１項に記載の画像形成装置。
【請求項９】
前記切換部は、前記マイクによる音声の検出位置が前記第２位置である場合において、前記マイクによる音声の検出が終了したと判断した場合には、前記可動装置を駆動することにより前記マイクによる音声の検出位置を前記第２位置から前記第１位置とする制御を実行する、請求項４〜請求項８いずれか１項に記載の画像形成装置。
【請求項１０】
前記可動装置は、原稿を押さえる原稿押さえ装置を含む、請求項４〜請求項９のいずれか１項に記載の画像形成装置。
【請求項１１】
前記原稿押さえ装置が閉じることにより、前記マイクによる音声の検出位置は前記第１位置となり、
前記原稿押さえ装置が開くことにより、前記マイクによる音声の検出位置は前記第２位置となる、請求項１０に記載の画像形成装置。
【請求項１２】
前記可動装置は、情報を表示する表示装置を含む、請求項４〜請求項１１のいずれか１項に記載の画像形成装置。
【請求項１３】
前記可動装置は、駆動可能なアームを含み、
前記アームが駆動することにより、前記マイクによる音声の検出位置は前記第１位置から前記第２位置に切換わる、請求項４〜請求項１２のいずれか１項に記載の画像形成装置。
【請求項１４】
前記可動装置は、
駆動可能なアームと、
情報を表示する表示装置または原稿を押さえる原稿押さえ装置とを含み、
前記表示装置または前記原稿押さえ装置が駆動されかつ前記アームが駆動することにより、前記マイクによる音声の検出位置は前記第１位置から前記第２位置に切換わる、請求項４〜請求項９のいずれか１項に記載の画像形成装置。
【請求項１５】
前記実行部は、前記マイクにより検出された音声に基づいた第１ジョブと、前記第１ジョブとは異なる第２ジョブとを実行可能であり、
前記実行部が前記マイクにより音声が検出されたときに前記第２ジョブを実行していない場合には、前記実行部が新たな前記第２ジョブを実行することを禁止する禁止部をさらに有する、請求項１〜請求項１４のいずれか１項に記載の画像形成装置。
【請求項１６】
前記画像形成装置は、接続装置と接続可能であり、
前記切換部は、前記切換制御を、前記画像形成装置に接続された前記接続装置に応じて実行する、請求項１〜請求項１５のいずれか１項に記載の画像形成装置。
【請求項１７】
前記ジョブの種別と、前記マイクによる音声の検出位置とが関連付けられた関連情報を記憶する記憶部をさらに備え、
前記切換部は、前記関連情報を参照して、前記切換制御を実行する、請求項１〜請求項１６のいずれか１項に記載の画像形成装置。
【請求項１８】
前記ジョブは、画像形成ジョブを含み、
前記画像形成ジョブは、画像をスキャンするスキャン処理と、該スキャンされた画像を記録媒体に印刷する印刷処理とを含み、
前記実行部が、前記画像形成ジョブの実行中に前記マイクが音声を検出した場合には、前記スキャン処理を中断すると共に、前記印刷処理を継続する、請求項１〜請求項１７いずれか１項に記載の画像形成装置。
【請求項１９】
音声を検出するマイクを備える画像形成装置の制御方法であって、
マイクによる音声の検出位置を切換えるための切換制御を、ジョブに応じて実行する切換ステップを備える、画像形成装置の制御方法。
【請求項２０】
画像形成装置の制御プログラムであって、
コンピュータに、
マイクによる音声の検出位置を切換えるための切換制御を、ジョブに応じて実行する切換ステップを実行させる、画像形成装置の制御プログラム。
【発明の詳細な説明】
【技術分野】
【０００１】
本開示は、画像形成装置、画像形成装置の制御方法、および画像形成装置の制御プログラムに関する。
【背景技術】
【０００２】
近年、音声認識技術の発展に伴い、音声によって受け付けた指示に基づき操作可能な電子機器が多数存在する。画像形成装置においても音声認識技術は採用されている。一般的に、音声認識の精度には音声と別に集音されるノイズが影響を与える。このため、従来の画像形成装置においても、音声認識の際にノイズの影響を防止するための工夫がみられる。たとえば、特許文献１では、ノイズの発生源となる自動原稿搬送機構から所定の距離だけ離間した位置にマイクを設置する画像形成装置が提案されている。
【先行技術文献】
【特許文献】
【０００３】
【特許文献１】特開２００５−１２３７００号公報
【発明の概要】
【発明が解決しようとする課題】
【０００４】
しかしながら、特許文献１に記載の技術は、自動原稿搬送機構を発生源とするノイズには対応できるものの、その他の場所を発生源とするノイズには十分に対応できない。一般に、ノイズの発生源は、画像形成装置において実行されるジョブの種別によって様々に変化し得る。特許文献１に記載の技術では、このような変化に対応できないという問題があった。
【０００５】
本開示は、上記のような実情に鑑みてなされたものであって、ある局面における目的は、マイクを有する画像形成装置において、ノイズの発生源がジョブの種別に応じて様々に変化する場合であっても、マイクが音声に加えてノイズを検出してしまうことを極力防止できる画像形成装置、画像形成装置の制御方法、および画像形成装置の制御プログラムを提供することである。
【課題を解決するための手段】
【０００６】
本開示のある局面に従う画像形成装置は、音声を検出するマイクと、ジョブを実行する実行部と、マイクによる音声の検出位置を切換えるための切換制御を、ジョブに応じて実行する切換部とを備える。
【０００７】
ある局面において、マイクによる音声の検出位置は、第１位置と、実行部により実行されているジョブに起因するノイズの発生源までの距離が第１位置よりも遠い第２位置とを含む。
【０００８】
ある局面において、マイクによる音声の検出位置は、第１位置と、ユーザーまでの距離が該第１位置よりも近い第２位置とを含む。
【０００９】
ある局面において、マイクが配置された可動装置をさらに備え、可動装置が駆動することにより、マイクによる音声の検出位置を第１位置から第２位置に切換える。
【００１０】
ある局面において、切換制御は、可動装置を駆動する制御である。
ある局面において、切換制御は、可動装置を駆動することをユーザーに促進する制御である。
【００１１】
ある局面において、切換部が切換制御を実行する契機は、マイクが音声を検出したという契機を含む。
【００１２】
ある局面において、切換部が切換制御を実行する契機は、画像形成装置に原稿がセットされたという契機を含む。
【００１３】
ある局面において、切換部は、マイクによる音声の検出位置が第２位置である場合において、マイクによる音声の検出が終了したと判断した場合には、可動装置を駆動することによりマイクによる音声の検出位置を第２位置から第１位置とする制御を実行する。
【００１４】
ある局面において、可動装置は、原稿を押さえる原稿押さえ装置を含む。
ある局面において、原稿押さえ装置が閉じることにより、マイクによる音声の検出位置は第１位置となり、原稿押さえ装置が開くことにより、マイクによる音声の検出位置は第２位置となる。
【００１５】
ある局面において、可動装置は、情報を表示する表示装置を含む。
ある局面において、可動装置は、駆動可能なアームを含み、アームが駆動することにより、マイクによる音声の検出位置は第１位置から第２位置に切換わる。
【００１６】
ある局面において、可動装置は、駆動可能なアームと、情報を表示する表示装置または原稿を押さえる原稿押さえ装置とを含み、表示装置または原稿押さえ装置が駆動されかつアームが駆動することにより、マイクによる音声の検出位置は第１位置から第２位置に切換わる。
【００１７】
ある局面において、実行部は、マイクにより検出された音声に基づいた第１ジョブと、第１ジョブとは異なる第２ジョブとを実行可能であり、実行部がマイクにより音声が検出されたときに第２ジョブを実行していない場合には、実行部が新たな第２ジョブを実行することを禁止する禁止部をさらに有する。
【００１８】
ある局面において、画像形成装置は、接続装置と接続可能であり、切換部は、切換制御を、画像形成装置に接続された接続装置に応じて実行する。
【００１９】
ある局面において、ジョブの種別と、マイクによる音声の検出位置とが関連付けられた関連情報を記憶する記憶部をさらに備え、切換部は、関連情報を参照して、切換制御を実行する。
【００２０】
ある局面において、ジョブは、画像形成ジョブを含み、画像形成ジョブは、画像をスキャンするスキャン処理と、該スキャンされた画像を記録媒体に印刷する印刷処理とを含み、実行部が、画像形成ジョブの実行中にマイクが音声を検出した場合には、スキャン処理を中断すると共に、印刷処理を継続する。
【００２１】
別の局面に従うと、音声を検出するマイクを備える画像形成装置の制御方法であって、マイクによる音声の検出位置を切換えるための切換制御を、ジョブに応じて実行する切換ステップを備える。
【００２２】
別の局面に従うと、画像形成装置の制御プログラムであって、コンピュータに、マイクによる音声の検出位置を切換えるための切換制御を、ジョブに応じて実行する切換ステップを実行させる。
【発明の効果】
【００２３】
本開示によれば、マイクを有する画像形成装置において、ノイズの発生源がジョブの種別に応じて様々に変化する場合であっても、マイクが音声に加えてノイズを検出してしまうことを極力防止できる。
【図面の簡単な説明】
【００２４】
【図１】本実施形態に従う画像形成装置の全体構成を示す図である。
【図２】接続装置が接続された画像形成装置の全体構成を示す図である。
【図３】画像形成装置のハードウェア構成を示すブロック図である。
【図４】画像形成装置の制御装置の機能構成例を示す図である。
【図５】関連情報の一例を示す図である。
【図６】促進制御の一例を示す図である（その１）。
【図７】促進制御の一例を示す図である（その２）。
【図８】促進制御の一例を示す図である（その３）。
【図９】促進制御の一例を示す図である（その４）。
【図１０】促進制御の一例を示す図である（その５）。
【図１１】促進制御の一例を示す図である（その６）。
【図１２】促進制御の一例を示す図である（その７）。
【図１３】促進制御の一例を示す図である（その８）。
【図１４】マイクと、ユーザーと、ノイズ発生源との関係を示す図である（その１）。
【図１５】マイクと、ユーザーと、ノイズ発生源との関係を示す図である（その２）。
【図１６】本実施形態の画像形成装置の処理に係るフローチャートである。
【図１７】促進制御の一例を示す図である（その９）。
【図１８】マイクと、ユーザーと、ノイズ発生源との関係を示す図である（その３）。
【図１９】別の実施形態の画像形成装置の処理に係るフローチャートである。
【図２０】マイクと、ユーザーと、ノイズ発生源との関係を示す図である（その４）。
【図２１】マイクと、ユーザーと、ノイズ発生源との関係を示す図である（その５）。
【図２２】マイクと、ユーザーと、ノイズ発生源との関係を示す図である（その６）。
【図２３】変形例の画像形成装置の処理に係るフローチャートである（その１）。
【図２４】変形例の画像形成装置の全体構成を示す図である。
【図２５】変形例の画像形成装置の処理に係るフローチャートである（その２）。
【発明を実施するための形態】
【００２５】
以下、図面を参照しつつ、本開示に係る技術思想の実施の形態について説明する。以下の説明では、同一の部品には同一の符号を付してある。それらの名称及び機能も同じである。したがって、それらについての詳細な説明は繰り返さない。
【００２６】
［第１実施形態］
＜Ａ．画像形成装置１の全体構成＞
図１は、本実施形態に従う画像形成装置１の全体構成を示す図である。図１には、画像形成装置１の典型例として、スキャナ機能、コピー機能、ファクシミリ機能、ネットワーク機能、ＢＯＸ機能といった複数の機能が搭載された複合機（ＭＦＰ：Multi Function Peripheral）について例示する。
【００２７】
本実施形態に従う画像形成装置１は、原稿を光学的に読取って画像データを得るスキャナ２と、画像データに基づいて記録媒体上に画像を印刷するプリントエンジン６とを含む。記録媒体は、たとえば、普通紙、上質紙、アート紙、コート紙、和紙、はがき用紙および透明フィルムなどを含む。以下では、記録媒体を「用紙」として説明する。
【００２８】
画像形成装置１の正面に存在するユーザーから見て画像形成装置１の左右方向（幅方向）をＸ軸方向とする。画像形成装置１の正面に存在するユーザーから見て画像形成装置１の奥行方向をＹ軸方向とする。画像形成装置１の正面に存在するユーザーから見て画像形成装置１の高さ方向をＺ軸方向とする。
【００２９】
画像形成装置１の正面に存在するユーザーから見て右方向をＸ軸方向の正方向とする。画像形成装置１の正面に存在するユーザーから見て左方向をＸ軸方向の負方向とする。画像形成装置１の正面に存在するユーザーから見て手前方向をＹ軸方向の正方向とする。画像形成装置１の正面に存在するユーザーから見て奥方向をＹ軸方向の負方向とする。画像形成装置１の正面に存在するユーザーから見て上方向をＺ軸方向の正方向とする。画像形成装置１の正面に存在するユーザーから見て下方向をＺ軸方向の負方向とする。
【００３０】
画像形成装置１の本体上面には、スキャナ２に原稿を送るフィーダ４が配置される。画像形成装置１は、フィーダ４を含む原稿押さえ装置１０８が配置される。原稿押さえ装置１０８は、ユーザーにより開閉可能となっている。通常時には、原稿押さえ装置１０８は閉じた状態である。ユーザーは、画像形成装置１に対して原稿をセットする場合には、原稿押さえ装置１０８を開けて、載置面（図１７（Ｂ）の載置面１８２）に原稿を載置することにより画像形成装置１に対して原稿をセットする。その後、載置面に原稿が載置された状態で、ユーザーは、原稿押さえ装置１０８を閉じる。
【００３１】
画像形成装置１の下部には、プリントエンジン６に用紙を供給する複数の給紙部９が配置される。また、画像形成装置１の中央部には、プリントエンジン６によって画像を形成された用紙が排紙されるトレー８を有する。
【００３２】
画像形成装置１の本体上面の前面側（ユーザーが対向する側）には、表示面を有する操作パネル装置１０が装着されている。操作パネル装置１０は、本開示の「表示装置」に対応する。操作パネル装置１０は、画像形成装置１を操作するための装置である。また、画像形成装置１は、操作パネル装置１０をユーザーに駆動（移動）させるための駆動機構（図示せず）を有する。駆動機構は、操作パネル装置１０がＸ軸方向、Ｙ軸方向、およびＺ軸方向に駆動可能（移動可能）とする機構と、操作パネル装置１０が回転可能となる機構とを含む。
【００３３】
また、本実施形態においては、画像形成装置１に対して、接続装置を接続可能である。図２は、接続装置が接続された画像形成装置１の全体構成を示す図である。図２の例では、接続装置５２０は、用紙収容装置４００と、後処理装置５００とを含む。用紙収容装置４００は、大容量の用紙を収容できる装置であり、かつ該収容している用紙を画像形成装置１に搬送できる装置である。後処理装置５００は、たとえば、印刷後の用紙に対して後処理を実行する。後処理は、たとえば、フィニッシャー処理を含む。接続装置５２０は、用紙収容装置４００および後処理装置５００に限られず、他の装置としてもよい。このように、本実施形態の画像形成装置１は、接続装置５２０を接続することにより、種々の機能を実現することができる。
【００３４】
＜Ｂ．画像形成装置のハードウェア構成＞
図３は、画像形成装置１のハードウェア構成を示すブロック図である。図３を参照して、画像形成装置１は、ＣＰＵ（Central Processing Unit）１０１と、制御プログラムが格納されたＲＯＭ（Read Only Memory）１０２と、作業用のＳ−ＲＡＭ（Static Random Access Memory）１０３と、画像形成に関わる各種の設定を記憶するバッテリバックアップされたＮＶ−ＲＡＭ（Non-Volatile RAM：不揮発性メモリ）１０４と、時計ＩＣ（Integrated Circuit）１０５と、操作パネル装置１０と、原稿押さえ装置１０８と、ネットワークＩ／Ｆ１６０と、WirelessＩ／Ｆ１７０と、マイク１８０と、操作スイッチ１９２とを有する。図３で説明した各部は、バスを介して接続されている。
【００３５】
ＣＰＵ１０１は、ＲＯＭ１０２等に保存されている動作プログラムを実行することにより、画像形成装置１全体を総括的に制御する。特に本実施形態の画像形成装置１は、ユーザーにより発声された音声によって各種操作を行うことができる。そのため、ユーザーの音声をマイク１８０で検出し、検出した音声を各種操作のコマンドとして認識するための音声認識処理をＣＰＵ１０１において実行することが可能である。
【００３６】
ＲＯＭ１０２には、ＣＰＵ１０１が実行するプログラムやその他のデータおよびテーブルを格納する。
【００３７】
Ｓ−ＲＡＭ１０３は、ＣＰＵ１０１がプログラムを実行する際の作業領域となるものであり、プログラムやプログラムを実行する際のデータ等を一時的に保存する。
【００３８】
ＮＶ−ＲＡＭ１０４は、バッテリーでバックアップされた不揮発メモリであり、画像形成に係わる各種の設定等を記憶するものである。
【００３９】
時計ＩＣ１０５は、時刻を計時すると共に、内部タイマーとして機能し処理時間の計測等を行う。
【００４０】
操作パネル装置１０は、種々の情報を表示する。操作パネル装置１０には、たとえば、コピーボタン（実行部１０７に画像形成処理を実行させるボタン）、スキャンボタン（実行部１０７にスキャン処理を実行させるボタン）などを表示する。また、本実施形態では、操作パネル装置１０にマイク１８０が配置されている。
【００４１】
また、操作パネル装置１０は、ユーザーにより駆動可能（移動可能）である。操作パネル装置１０は、たとえば、スライド可能である（図７参照）。このように、操作パネル装置１０は、駆動可能であることから、「可動装置」ともいう。
【００４２】
ユーザーは、操作パネル装置１０から、命令を入力することにより、該命令に対応するジョブを実行部１０７に対して実行させることができる。また、ユーザーは、マイク１８０に対して音声を発することにより、該音声から特定されるジョブを画像形成装置１に対して実行させることができる。
【００４３】
ここでジョブとは、画像形成装置１に入力される指示であり、当該指示に沿って画像形成装置１で実行される処理内容である。具体的なジョブの内容は、ユーザーが入力した指示の内容により異なる。本実施形態のジョブは、たとえば、画像形成ジョブ、スキャンジョブ、およびファックスジョブなどを含む。つまり、実行部１０７は、画像形成部と、スキャン処理実行部と、ファックス処理実行部などを含む。換言すれば、画像形成部と、スキャン処理実行部と、ファックス処理実行部などをまとめて実行部１０７という。また、画像形成部は、画像形成処理を実行するものであり、たとえば、感光体、露光装置、および現像装置などを含む。本実施形態の画像形成装置では、
原稿押さえ装置１０８は、ユーザーにより載置面に載置された原稿を押さえる。また、原稿押さえ装置１０８は、ユーザーにより開閉可能である。
【００４４】
ネットワークＩ／Ｆ１６０は、ネットワークを介して接続されたＰＣ（Personal computer）３００および他の画像形成装置（図示せず）をはじめとする外部装置との間で各種の情報を送受信する。
【００４５】
WirelessＩ／Ｆ１７０は、無線信号を介して他の装置との間で情報を送受信する。マイク１８０は、ユーザーにより発声された音声を検出する。
【００４６】
操作スイッチ１９２は、操作パネル装置１０に表示されるスイッチとは別のスイッチであり、たとえば、物理的な接点を有するスイッチである。ユーザーは、操作スイッチ１９２を操作することでも、画像形成装置１に対して命令を入力することができる。
【００４７】
＜Ｃ．制御装置２００の機能構成例＞
図４は、画像形成装置１の制御装置２００の機能構成例を示す図である。制御装置２００は、たとえば、ＣＰＵ１０１と、ＲＯＭ１０２と、Ｓ−ＲＡＭ１０３などにより構成される。
【００４８】
制御装置２００は、音声受付部２０２と、ジョブ受付部２０４と、実行制御部２０６と、記憶部２１２と、特定部２１０と、切換部２０８との機能を有する。
【００４９】
また、図１などでも示したように、マイク１８０は、操作パネル装置１０に配置されている。ユーザーはマイク１８０に対して音声を発すると、マイク１８０は、該音声を検出する。マイク１８０で検出された音声（または音声信号）は、音声受付部２０２により受付けられる。音声受付部２０２は、受付けた音声に対して音声認識処理を実行する。
【００５０】
音声受付部２０２は、所定の記憶領域に予め記憶した音響モデル、辞書モデル、言語モデルなどを参照して、マイク１８０からの音声に対する音声解析を行う。
【００５１】
音響モデルとは、例えば、音声の特徴量と発音記号との確率的な対応付けをデータ化したモデルである。話者モデルとは、音声の特徴（例えば、発話周波数）を示すモデルである。辞書モデルとは、例えば、単語の表記と読みを記述したモデルである。言語モデルとは、例えば、辞書に記述された単語それぞれについて、当該単語の出現確率や当該単語と他の単語との接続確率をデータ化したモデルである。
【００５２】
音声受付部２０２は、音声認識処理を実行することにより、ジョブを示すキーワードを特定する。音声受付部２０２は、該特定したキーワードに対応するジョブを示すジョブ信号を実行制御部２０６に送信する。該特定したキーワードに対応するジョブ、つまり、マイク１８０により検出された音声に基づいたジョブを「第１ジョブ」という。また、第１ジョブを示すジョブ信号を「第１ジョブ信号」という。
【００５３】
たとえば、ユーザーが「コピーをしてくれ」と発声した場合、音声受付部２０２は、音声認識処理を実行することにより、「コピー」をキーワードとして特定する。音声受付部２０２は、該キーワードに対応する「コピー」を第１ジョブとして認識し、第１ジョブ信号を実行制御部２０６に送信する。
【００５４】
また、ジョブ受付部２０４は、画像形成装置１に対して入力されたジョブを受け付ける。以下ではこのジョブを「第２ジョブ」という。第２ジョブは、画像形成装置１に対してユーザーにより手入力で入力されるジョブ、および画像形成装置１の外部装置（たとえば、ＰＣ３００）から入力されるジョブなどを含む。また、第１ジョブは、マイク１８０により検出された音声に基づいたジョブであるのに対し、第２ジョブは、マイク１８０により検出された音声に基づいていないジョブである。この点で、第１ジョブと第２ジョブとは異なるジョブである。ジョブ受付部２０４は、画像形成装置１に対して入力された第２ジョブを示す第２ジョブ信号を実行制御部２０６に送信する。
【００５５】
実行制御部２０６は、第１ジョブ信号を受信すると、第１ジョブ信号により示されるジョブに対応する実行部１０７に第１ジョブ信号に対応する制御信号を送信する。たとえば、第１ジョブ信号が、画像形成ジョブを示す信号である場合には、実行制御部２０６は、実行部１０７のうちの画像形成部に対して第１ジョブ信号に対応する制御信号（画像形成処理を実行させる信号）を送信する。
【００５６】
また、実行制御部２０６は、第２ジョブ信号を受信すると、第２ジョブ信号により示されるジョブに対応する実行部１０７に第２ジョブ信号に対応する制御信号を送信する。たとえば、第２ジョブ信号が、画像形成ジョブを示す信号である場合には、実行制御部２０６は、実行部１０７のうちの画像形成部に対して第２ジョブ信号に対応する制御信号（画像形成処理を実行させる信号）を送信する。
【００５７】
ところで、実行部１０７が、ジョブを実行すると、該ジョブに起因するノイズが発生する。たとえば、実行部１０７が、画像形成処理を実行すると、感光体ドラムを駆動させるための駆動機構（エンジンなど）からノイズが発生する。
【００５８】
たとえば、画像形成ジョブの実行中、つまり、画像形成ジョブに基づくノイズの発生中に、ユーザーが音声を発したとしても、該音声に該ノイズが混在することから、音声受付部２０２による該音声に対する音声認識の精度は低下する。その結果、音声受付部２０２は該音声からキーワードを抽出できずに、ユーザーは、該ユーザーが所望するジョブ（第１ジョブ）を画像形成装置１に対して実行させることができない。このように、ジョブの実行に起因するノイズが、音声受付部２０２による該音声に対する音声認識を阻害する。
【００５９】
また、画像形成装置１に接続装置５２０（図２参照）が接続されている場合において、該接続装置５２０がジョブを実行する場合には、該接続装置５２０からもノイズが発生する。たとえば、接続装置５２０のうちの後処理装置５００がフィニッシャージョブ（フィニッシャー処理）を実行する場合には、該フィニッシャージョブに基づくノイズが発生する。また、接続装置５２０のうちの用紙収容装置４００が、該用紙収容装置４００が収容している用紙を画像形成装置１に搬送する搬送ジョブを実行する場合には、該搬送ジョブに基づくノイズが発生する。音声受付部２０２は、ユーザーからの音声に該ノイズ（接続装置５２０でのノイズ）が混在しても、音声受付部２０２による該音声に対する音声認識の精度は低下する。
【００６０】
ところで、画像形成装置１および接続装置５２０に実行されるジョブの種別によって、該ジョブの実行に起因するノイズの発生源の位置は異なる。たとえば、画像形成装置１が画像形成ジョブを実行する場合の該画像形成ジョブの実行に起因するノイズの発生源の位置と、画像形成装置１がスキャンジョブを実行する場合の該スキャンジョブの実行に起因するノイズの発生源の位置と、用紙収容装置４００が搬送ジョブを実行する場合の該搬送ジョブの実行に起因するノイズの発生源の位置と、後処理装置５００が後処理ジョブを実行する場合の該後処理ジョブの実行に起因するノイズの発生源の位置とはそれぞれ異なる。
【００６１】
そこで、以下に示すように、制御装置２００は、実行されるジョブの種別に応じてノイズ発生源の位置が変わることを鑑みつつ、該ジョブの実行に起因するノイズが、音声受付部２０２による該音声に対する音声認識を阻害することを低減するための処理を実行する。
【００６２】
本実施形態では、マイク１８０（マイク１８０による音声の検出位置）は、第１位置（ホームポジション）と第２位置とのいずれかに移動可能である。換言すれば、マイク１８０による音声の検出位置は、第１位置と第２位置とを含む。
【００６３】
図１４などで示すように、第２位置は、ジョブに起因するノイズの発生源までの距離が第１位置よりも遠い位置である。また、第２位置は、ユーザーまでの距離が該第１位置よりも近い位置でもある。つまり、第２位置は、第１位置と比較して、マイクで検出されるノイズ量を低減できる位置である。換言すると、第２位置は、音声受付部２０２によるユーザーからの音声に対する音声認識の精度を高めることができる位置である。一方、第１位置は、ユーザーによる画像形成装置１に対する行為（たとえば、画像形成装置１に対して原稿をセットする行為）を阻害しない位置である。
【００６４】
特定部２１０は、音声受付部２０２が、ユーザーからの音声の入力を検出した場合には、特定部２１０は、マイク１８０の移動先を特定する。ここで、マイク１８０の移動先の位置は、第２位置に対応する位置である。マイク１８０の移動先の位置は、ノイズ発生源から離れた位置、つまり、ユーザーからの音声に対してノイズが混在し難い位置である。
【００６５】
図５は、関連情報の一例を示す図である。関連情報は、予め作成される情報であり、予め記憶部２１２に記憶されている。図５の例では、関連情報は、接続装置５２０の種別およびジョブの種別をキーとして、ノイズ発生源の場所、およびマイク１８０の移動先の位置（第２位置）が関連付けられている。接続装置５２０の種別として、接続装置なしと、用紙収容装置４００と、後処理装置５００と、用紙収容装置４００および後処理装置５００とが規定されている。
【００６６】
また、ジョブの種別として、片面印刷、両面印刷、およびスキャンが規定されている。たとえば、接続装置５２０が画像形成装置１に接続されていない場合において、実行中のジョブが片面印刷である場合には、ノイズ発生源の場所はＰ１であり、マイク１８０の移動先の位置は、Ｑ１となる。
【００６７】
また、たとえば、接続装置５２０として用紙収容装置４００および後処理装置５００が画像形成装置１に接続されている場合において、実行中のジョブが両面印刷である場合には、ノイズ発生源の場所はＰ１０であり、マイク１８０の移動先の位置は、Ｑ１０となる。図５の例では、マイク１８０の移動先の位置Ｑは、第２位置となる。
【００６８】
なお、図５において、ノイズ発生源の場所Ｐ、およびマイクの検出位置Ｑについては、便宜上、１〜１２の通し番号を付している。図５においてノイズ発生源の場所Ｐ１〜Ｐ１２のうち少なくとも２つはノイズの発生源の場所が同一となっていてもよい。また、これに伴い、図５においてマイクの検出位置Ｑ１〜Ｑ１２のうち少なくとも２つはマイクの検出位置が同一となっていてもよい。
【００６９】
また、変形例として、図５の関連情報について、ノイズの発生源の場所は記憶しなくてもよい。つまり、関連情報は、接続装置の種別およびジョブの種別をキーとして、マイク１８０の移動先が関連付けられている情報としてもよい。
【００７０】
また、変形例として、たとえば、接続装置５２０が接続されない画像形成装置については、接続装置の種別を規定しない関連情報としてもよい。たとえば、ジョブの種別をキーとして、ノイズ発生源の場所Ｐと、マイクの移動位置とを対応付けた関連情報としてもよい。
【００７１】
特定部２１０は、マイク１８０の移動先を特定すると、該特定したマイク１８０の移動先を切換部２０８に送信する。切換部２０８は、マイク１８０による音声の検出位置を切換えるための切換制御を実行する。本実施形態では、切換制御は、特定部２１０が特定したマイク１８０の移動先に、マイク１８０を移動させることをユーザーに促進する促進制御である。なお、以下では、「マイク１８０による音声の検出位置」を、「マイク１８０の位置」という場合もある。
【００７２】
＜Ｄ．促進制御の具体例＞
次に、切換部２０８により実行される促進制御（切換制御）の詳細を説明する。図６は、促進制御の一例を示す図である。図６の例では、操作パネル装置１０の下方中央部にマイク１８０が配置されている。さらに、切換部２０８は、促進制御として、促進画像１９０を表示する。促進画像１９０は、特定部２１０が特定した「マイク１８０の移動先の位置」に、該マイク１８０を移動させることをユーザーに促進するための画像である。図６の例では、促進画像１９０は、「パネルを左にスライドしてください」という文字画像である。図６の例では、切換部２０８は、操作パネル装置１０の表示領域のうちの上部の領域に促進画像１９０を表示する。なお、変形例として、切換部２０８は、操作パネル装置１０の表示領域のうちの上部以外の領域以外の領域に、促進画像１９０を表示させるようにしてもよい。また、変形例として、切換部２０８は、画像を表示せずに、促進制御を実行するようにしてもよい。切換部２０８は、促進制御として音声を出力するようにしてもよい。たとえば、切換部２０８は、「パネルを左にスライドしてください」という音声をスピーカー（図示せず）から出力するようにしてもよい。
【００７３】
図７は、特定部２１０が、マイク１８０の移動先の位置（第２位置）として、「画像形成装置１の正面に存在するユーザーから見て左側の位置（Ｘ軸方向の負方向）」を特定した場合を示す。図７（Ａ）は、マイク１８０の位置が第１位置である場合を示す。図７（Ｂ）は、ユーザーにより操作パネル装置１０が左側（Ｘ軸方向の負方向）にスライドされることにより、マイク１８０の位置が第２位置となった場合を示す。
【００７４】
図７（Ａ）に示すように、切換部２０８は、図６で説明した促進画像１９０を表示する。該促進画像１９０を視認したユーザーは、操作パネル装置１０を左側にスライドさせる。そうすると、図７（Ｂ）に示すように、操作パネル装置１０は左側にスライドされる。この操作パネル装置１０が左側に位置することにより、マイク１８０（マイク１８０の音声の検出位置）が、第２位置となる。
【００７５】
図８は、特定部２１０が、マイク１８０の移動先の位置（第２位置）として、「画像形成装置１の正面に存在するユーザーから見て手前側の位置（Ｙ軸方向の正方向）」を特定した場合を示す。図８（Ａ）は、マイク１８０の位置が第１位置である場合を示す。図８（Ｂ）は、ユーザーにより操作パネル装置１０が手前側（Ｙ軸方向の正方向）に移動されることにより、マイク１８０の位置が第２位置となった場合を示す。
【００７６】
図８（Ａ）に示すように、切換部２０８は、「パネルを手前に引いてください」という促進画像１９０を表示する。該促進画像１９０を視認したユーザーは、操作パネル装置１０を手前側に移動させる。そうすると、図８（Ｂ）に示すように、操作パネル装置１０は手前側に移動される。この操作パネル装置１０が手前側に位置することにより、マイク１８０（マイク１８０の音声の検出位置）が、第２位置となる。
【００７７】
図９は、特定部２１０が、マイク１８０の移動先の位置（第２位置）として、「画像形成装置１の正面に存在するユーザーから見て上側の位置（Ｚ軸方向の正方向）」を特定した場合を示す。図９（Ａ）は、マイク１８０の位置が第１位置である場合を示す。図９（Ｂ）は、ユーザーにより操作パネル装置１０が上側（Ｚ軸方向の正方向）に移動されることにより、マイク１８０の位置が第２位置となった場合を示す。
【００７８】
図９（Ａ）に示すように、切換部２０８は、「パネル手前を持ってパネルを立ててください」という促進画像１９０を表示する。該促進画像１９０を視認したユーザーは、操作パネル装置１０を立てるように移動させる。そうすると、図９（Ｂ）に示すように、マイク１８０が、Ｚ軸方向の正方向に移動されることにより、マイク１８０（マイク１８０の音声の検出位置）が、第２位置となる。
【００７９】
ユーザーは、マイク１８０の位置が第２位置（図７（Ｂ）、図８（Ｂ）および図９（Ｂ）に示すようにノイズ源から遠い位置）となっている状態で音声を発することにより、マイク１８０の位置が第１位置（ノイズ源から近い位置）となっている状態で音声を発した場合と比較して該音声に対して混在するノイズの度合いを低減できる。したがって、マイク１８０の位置が第２位置となっている状態で音声を発する方が、マイク１８０の位置が第１位置となっている状態で音声を発した場合よりも、該音声に対する音声受付部２０２による音声認識の精度を向上させることができる。
【００８０】
次に、図１０を用いて、第１の変形例として、マイク１８０が、画像形成装置１の正面に存在するユーザーから見て操作パネル装置１０の右側の位置に配置されている例を説明する。図１０は、特定部２１０が、マイク１８０の移動先の位置（第２位置）として、「画像形成装置１の正面に存在するユーザーから見て下側の位置（Ｚ軸方向の負方向）」を特定した場合を示す。図１０（Ａ）は、マイク１８０の位置が第１位置である場合を示す。図１０（Ａ）に示すように、切換部２０８は、「パネルを時計回りに回してください」という促進画像１９０を表示する。該促進画像１９０を視認したユーザーは、操作パネル装置１０を時計回りに回すように移動させる。そうすると、図１０（Ｂ）に示すように、マイク１８０が、Ｚ軸方向の負方向に移動されることにより、マイク１８０（マイク１８０の音声の検出位置）が、第２位置となる。
【００８１】
また、図１１は、第１の変形例において、特定部２１０が、マイク１８０の移動先の位置（第２位置）として、「画像形成装置１の正面に存在するユーザーから見て手前側の位置（Ｙ軸方向の正方向）」を特定した場合を示す。図１１（Ａ）は、マイク１８０の位置が第１位置である場合を示す。図１１（Ａ）に示すように、切換部２０８は、「パネルの右側を持ってパネルを立ててください」という促進画像１９０を表示する。該促進画像１９０を視認したユーザーは、操作パネル装置１０を立てるように移動させる。そうすると、図１１（Ｂ）に示すように、マイク１８０が、Ｙ軸方向の正方向に移動されることにより、マイク１８０（マイク１８０の音声の検出位置）が、第２位置となる。
【００８２】
次に、図１２を用いて、第２の変形例として、マイク１８０が、画像形成装置１の正面に存在するユーザーから見て操作パネル装置１０の左側の位置に配置されている例を説明する。図１２は、特定部２１０が、マイク１８０の移動先の位置（第２位置）として、「画像形成装置１の正面に存在するユーザーから見て手前側の位置（Ｙ軸方向の正方向）」を特定した場合を示す。図１２（Ａ）は、マイク１８０の位置が第１位置である場合を示す。図１２（Ａ）に示すように、切換部２０８は、「パネルの左側を持ってパネルを立ててください」という促進画像１９０を表示する。該促進画像１９０を視認したユーザーは、操作パネル装置１０を立てるように移動させる。そうすると、図１２（Ｂ）に示すように、マイク１８０が、Ｙ軸方向の正方向に移動されることにより、マイク１８０（マイク１８０の音声の検出位置）が、第２位置となる。
【００８３】
次に、図１３を用いて、第３の変形例として、マイク１８０が、画像形成装置１の正面に存在するユーザーから見て操作パネル装置１０の上側の位置に配置されている例を説明する。図１３は、特定部２１０が、マイク１８０の移動先の位置（第２位置）として、「画像形成装置１の正面に存在するユーザーから見て手前側の位置（Ｙ軸方向の正方向）」を特定した場合を示す。図１３（Ａ）は、マイク１８０の位置が第１位置である場合を示す。図１３（Ａ）に示すように、切換部２０８は、「パネル奥を持ってパネルを立ててください」という促進画像１９０を表示する。該促進画像１９０を視認したユーザーは、操作パネル装置１０を立てるように移動させる。そうすると、図１３（Ｂ）に示すように、マイク１８０が、Ｙ軸方向の正方向に移動されることにより、マイク１８０（マイク１８０の音声の検出位置）が、第２位置となる。
【００８４】
画像形成装置１が、第１〜第３の変形例のような構成を備えていたとしても、ユーザーは、マイク１８０の位置が、第２位置（ノイズ源から遠い位置）となっている状態で音声を発することにより、第２位置（ノイズ源から遠い位置）となっている状態で音声を発した場合と比較して該音声に対する音声認識の精度を向上させることができる。
【００８５】
［マイクとユーザーとの距離、およびマイクとノイズ発生源との距離について］
図１４は、マイク１８０とユーザーＵとの距離、およびマイク１８０とノイズ発生源αとの距離を示す図である。図１４の例では、第１位置に存在するマイク１８０をマイク１８０（Ａ１）と示す。第２位置に存在するマイク１８０をマイク１８０（Ａ２）と示す。図１４の例では、ユーザーＵ（ユーザーＵの口元）と、マイク１８０（Ａ１）との距離を距離Ｌ１とする。ユーザーＵ（ユーザーＵの口元）と、マイク１８０（Ａ２）との距離を距離Ｌ２とする。ノイズ発生源αと、マイク１８０（Ａ１）との距離を距離Ｌ３とする。ノイズ発生源αと、マイク１８０（Ａ２）との距離を距離Ｌ４とする。以下では、第１位置を「第１位置Ａ１」といい、第２位置を「第２位置Ａ２」ともいう。
【００８６】
図１４に示すように、距離Ｌ４＞距離Ｌ３となる。つまり、第１位置Ａ１にマイク１８０が存在する場合におけるマイク１８０（Ａ１）とノイズ発生源αとの距離Ｌ４は、第２位置Ａ２にマイク１８０が存在する場合におけるマイク１８０（Ａ２）とノイズ発生源αとの距離Ｌ３は長くなる。
【００８７】
また、図１４に示すように、距離Ｌ１＞距離Ｌ２となる。つまり、第２位置Ａ２にマイク１８０が存在する場合におけるマイク１８０（Ａ２）とユーザーＵ（ユーザーＵの口元）との距離Ｌ２は、第１位置Ａ１にマイク１８０が存在する場合におけるマイク１８０（Ａ１）とユーザーＵ（ユーザーＵの口元）との距離Ｌ１よりも短くなる。なお、図１４の例では駆動軸１８５を中心に、操作パネル装置１０は回動する。また、図９で説明した構成は、図１４で説明したように駆動軸１８５を中心に操作パネル装置１０が駆動することにより、マイク１８０が第２位置Ａ２に到達する構成としてもよい。
【００８８】
次に、図１５を用いて第４変形例を説明する。図１５（Ｂ）に示すように、第４変形例では、画像形成装置１の正面に存在するユーザーから見て操作パネル装置１０左右のいずれか一方側（図１５の例では左側）の位置にアーム１２０を備え、該アーム１２０にマイク１８０が配置されている例を説明する。また、ユーザーは、アーム１２０を駆動させることにより、たとえば、マイク１８０を手前側に移動させることができる。図１５（Ａ）に示すように、第４変形例の構成であっても、距離Ｌ１＞距離Ｌ２となり、かつ距離Ｌ４＞距離Ｌ３となる。
【００８９】
また、第２位置Ａ２は、第１位置Ａ１と比較して、ユーザーが発した音声に対して混在するノイズの度合いを低減できる位置である。一方、第２位置Ａ２は、第１位置Ａ１と比較してマイク１８０がユーザー側に寄った位置である。したがって、第２位置Ａ２は、第１位置Ａ１と比較して、音声入力処理が終了したユーザーによる画像形成装置に対する行為（たとえば、画像形成装置に原稿をセットする行為など）を阻害しやすい位置である。一般的に、ユーザーは、たとえば、コピージョブを画像形成装置１に実行させる場合には、ユーザーは「コピー」と言った音声を発した後に、原稿を画像形成装置１にセットする場合が多い。この場合において、マイク１８０の位置が第２位置Ａ２のままであると、ユーザーによる画像形成装置に対する行為（たとえば、画像形成装置に原稿をセットする行為など）が阻害される場合がある。
【００９０】
そこで、本実施形態では、切換部２０８は、ユーザーから音声に対する音声認識処理が終了したと判断した場合には、マイク１８０の位置を第２位置Ａ２から第１位置Ａ１に戻す。したがって、音声入力処理が終了したユーザーによる画像形成装置に対する行為（たとえば、画像形成装置に原稿をセットする行為など）が阻害されることを防止できる。なお、たとえば、音声受付部２０２がユーザーからの音声を検出していない期間が、一定期間（たとえば、５秒間）に到達した場合に、切換部２０８は、ユーザーから音声に対する音声認識処理が終了したと判断する。
【００９１】
［画像形成装置のフローチャート］
次に、画像形成装置１の処理に係るフローチャートを説明する。図１６は、画像形成装置１の処理に係るフローチャートである。
【００９２】
まず、ステップＳ２においては、音声受付部２０２は、ユーザーからの音声を検知したか否かを判断する。ステップＳ２において、音声受付部２０２が、ユーザーからの音声を検知するまで、ステップＳ２の処理を繰返す（ステップＳ２でＮＯ）。また、ステップＳ２において、音声受付部２０２が、ユーザーからの音声を検知した場合には（ステップＳ２でＹＥＳ）、処理は、ステップＳ４に進む。
【００９３】
ステップＳ４においては、実行制御部２０６は、現在、実行中のジョブがあるか否かを判断する。ステップＳ４において、実行制御部２０６は、現在、実行中のジョブがないと判断した場合には（ステップＳ４でＮＯ）、処理は、ステップＳ２２に進む。ステップＳ２２においては、禁止部２０６０は、新たなジョブ（たとえば、新たな第２ジョブ）の実行を禁止する。ステップＳ２２においては、禁止部２０６０は、たとえば、実行禁止フラグを記憶部２１２に記憶させる。実行禁止フラグは、たとえば、新たなジョブを禁止することを示すフラグである。ステップＳ２２の処理が終了すると、処理は、ステップＳ１４に進む。
【００９４】
また、ステップＳ４において、実行制御部２０６は、現在、実行中のジョブがあると判断した場合には（ステップＳ４でＹＥＳ）、処理は、ステップＳ６に進む。ステップＳ６においては、特定部２１０は、図５に示す関連情報を参照して、接続されている接続装置５２０および実行中のジョブの種別に基づいて、ノイズ発生源の場所Ｐを特定する。次に、ステップＳ８において、特定部２１０は、図５に示す関連情報を参照して、接続されている接続装置５２０および実行中のジョブの種別に基づいて、マイク１８０の移動先の位置Ｑ（第２位置Ａ２）を特定する。
【００９５】
次に、切換部２０８は、マイク１８０が第２位置Ａ２に到達するように、可動装置（本実施形態では、操作パネル装置１０）をユーザーに駆動させる旨をユーザーに促進する。該促進は、たとえば、図６〜図１３に示したように、促進画像１９０を表示することである。
【００９６】
次に、ステップＳ１２において、切換部２０８は、マイク１８０が、第２位置Ａ２への移動が完了したか否かを判断する。切換部２０８は、たとえば、該切換部２０８が表示した促進画像１９０で示す通りに、操作パネル装置１０が駆動したと判断した場合に、マイク１８０が、第２位置Ａ２への移動が完了したと判断する。
【００９７】
ステップＳ１２において、切換部２０８は、マイク１８０が第２位置Ａ２への移動が完了したと判断するまで（ステップＳ１２でＮＯ）、切換部２０８は、ステップＳ１２の処理を繰り返す。切換部２０８は、マイク１８０が第２位置Ａ２への移動が完了したと判断したときには（ステップＳ１２でＹＥＳ）、処理はステップＳ１４に進む。
【００９８】
なお、変形例として、切換部２０８は、ステップＳ１２の処理に替えて、ステップＳ１０の促進制御が実行されたとき（促進画像１９０が表示されたとき）から所定時間（たとえば、５秒間）経過したか否かを判断する処理を実行するようにしてもよい。この処理では、切換部２０８が所定時間経過したと判断するまで、この処理を繰り返し、該所定時間経過したと判断したときに、処理はステップＳ１４に進む。
【００９９】
ステップＳ１４において、音声受付部２０２は、音声認識処理を開始する。次に、ステップＳ１６において、音声受付部２０２は、ユーザーによる音声入力が終了したか否かを判断する。ステップＳ１６において、音声受付部２０２は、ユーザーによる音声入力が終了したと判断するまで、ステップＳ１６の処理を繰り返す（ステップＳ１６でＮＯ）。また、ステップＳ１６において、音声受付部２０２は、ユーザーによる音声入力が終了したと判断した場合には（ステップＳ１６でＹＥＳ）、処理は、ステップＳ１８に進む。
【０１００】
ステップＳ１８において、実行制御部２０６は、ステップＳ１４での音声認識の結果に基づいたジョブ（第１ジョブ）の実行を許可する。ここで、実行の許可とは、実行部１０７がステップＳ１４での音声認識の結果に基づいたジョブを実行できるのであれば、実行部１０７は、該ジョブを実行することである。
【０１０１】
また、実行の許可とは、実行部１０７がステップＳ１４での音声認識の結果に基づいたジョブについて、さらにユーザーからの操作（たとえば、スタートボタンへの操作）が必要な場合には、該ユーザーに該操作が行われたときに、実行部１０７が該ジョブを実行することである。
【０１０２】
次に、ステップＳ２０において、切換部２０８は、第２位置Ａ２のマイク１８０を第１位置Ａ１に戻るように、可動装置（本実施形態では、操作パネル装置１０）を駆動する。たとえば、図７（Ｂ）の状態であった操作パネル装置１０を、図７（Ａ）の状態に戻す。また、実行禁止フラグは、ステップＳ１８の処理またはステップＳ２０の処理に関連して消去される。
【０１０３】
［小括］
（１）  たとえば、従来のように、マイクによる音声の検出位置が固定の場合には、音声入力処理が終了したユーザーによる画像形成装置に対する行為が、該マイクにより阻害されてしまう場合がある。そこで、本実施形態の画像形成装置１によれば、切換部２０８は、マイク１８０による音声の検出位置（マイク１８０の位置）を切換えるための切換制御を、実行部１０７により実行されているジョブに応じて実行する（たとえば、図７（Ａ）および図７（Ｂ）参照）。このように、マイク１８０による音声の検出位置が、ジョブの種別に応じて切換わる。したがって、ノイズの発生源がジョブの種別に応じて様々に変化する場合であっても、マイク１８０が音声に加えてノイズを検出してしまうことを極力防止できる。
【０１０４】
（２）  また、マイクによる音声の検出位置は、第１位置Ａ１と、実行部１０７により実行されているジョブに起因するノイズ発生源αまでの距離が第１位置Ａ１よりも遠い第２位置Ａ２とを含む（たとえば、図１４参照）。したがって、切換部２０８は、マイクによる音声の検出位置を第２位置Ａ２に切換えることにより、音声に対するノイズの影響を小さくすることができ、結果としてユーザーからの音声に対する音声認識の精度を高めることができる。
【０１０５】
（３）  また、マイクによる音声の検出位置は、第１位置Ａ１と、ユーザーＵまでの距離が該第１位置よりも近い第２位置Ａ２とを含む（たとえば、図１４参照）。したがって、切換部２０８は、マイクによる音声の検出位置を第２位置Ａ２に切換えることにより、音声に対するノイズの影響を小さくすることができ、結果としてユーザーからの音声に対する音声認識の精度を高めることができる。
【０１０６】
（４）  また、本実施形態の画像形成装置１は、マイク１８０を備える可動装置（本実施形態では、操作パネル装置１０）を備える。さらに、ユーザーにより、操作パネル装置１０が駆動されることにより、マイク１８０の位置（マイク１８０による音声の検出位置）が、第１位置Ａ１から第２位置Ａ２に切換わる（たとえば、図７（Ａ）および図７（Ｂ）参照）。このような構成によれば、本実施形態の画像形成装置１は、マイク１８０の数を１つにして、マイク１８０の位置を、第１位置Ａ１から第２位置Ａ２に切換えることができる。よって、本実施形態の画像形成装置１は、複数のマイクを備える画像形成装置と比較よりも部品点数を削減することができる。
【０１０７】
（５）  また、切換部２０８は、促進画像１９０を表示することにより、ユーザーにマイク１８０の位置を第１位置Ａ１から第２位置Ａ２に切換えさせることができる。したがって、本実施形態の画像形成装置であれば、「マイク１８０の位置を第１位置Ａ１から第２位置Ａ２に切換える画像形成装置」と比較して、「マイク１８０の位置を第１位置Ａ１から第２位置Ａ２に切換える」処理の負担を軽減できる。
【０１０８】
（６）  また、図１６のステップＳ２に示すように、音声受付部２０２が、音声を検知したことを条件に（ステップＳ２でＹＥＳ）、ステップＳ１０において、切換部２０８は、促進制御（切換制御）を実行する。したがって、画像形成装置１は、ユーザーが音声を発したときに、促進制御（促進画像１９０の表示）を実行し、ユーザーにマイク１８０の位置を、第１位置Ａ１から第２位置Ａ２に切換えさせることができる。よって、ユーザーが音声を発したときから、マイク１８０の位置の切換までの流れをスムーズにすることができる。
【０１０９】
（７）  また、図１６のステップＳ１６およびステップＳ２０で説明したように、切換部２０８は、マイク１８０による音声の検出位置が第２位置Ａ２である場合において、マイク１８０による音声の検出が終了したと判断した場合には（ステップＳ１６でＹＥＳ）、ステップＳ２０において、可動装置（本実施形態では、操作パネル装置１０）を駆動することによりマイク１８０による音声の検出位置を第２位置Ａ２から第１位置Ａ１とする制御を実行する。第１位置Ａ１は、ユーザーによる画像形成装置１に対する行為（たとえば、画像形成装置１に対して原稿をセットする行為）を阻害しない位置である。よって、画像形成装置１は、音声入力が終了したユーザーによる画像形成装置１に対する行為を阻害しないようにすることができる。
【０１１０】
（８）  また、本実施形態では、マイク１８０が配置されている可動装置は、操作パネル装置１０である。したがって、画像形成装置１の既存の装置を可動装置とすることができる。よって、本実施形態の画像形成装置１は、可動装置を新たに設ける必要がある画像形成装置と比較して、部品点数を削減できる。
【０１１１】
（９）  また、切換部２０８は、可動装置である操作パネル装置１０に促進画像１９０を表示する（図７など参照）。したがって、画像形成装置１は、操作パネル装置１０に表示された促進画像１９０を視認したユーザーに、該操作パネル装置１０を駆動させる。よって、操作パネル装置１０による促進画像１９０の表示、および該操作パネル装置１０に対するユーザーによる駆動の流れをスムーズにすることができる。
【０１１２】
（１０）  また、図１６などに示すように、禁止部２０６０は、実行部１０７がマイク１８０により音声が検出されたときにおいて（ステップＳ２でＹＥＳ）、第２ジョブを実行していない場合には（ステップＳ４でＮＯ）、実行部１０７が新たな第２ジョブを実行することを禁止する。これにより、画像形成装置１は、第２ジョブの実行により、ユーザーからの音声に基づく第１ジョブが阻害されることを防止できる。また、画像形成装置１は、第２ジョブの実行によるノイズにより、ユーザーからの音声に対する音声認識の精度が低下されることを防止できる。
【０１１３】
（１１）  また、画像形成装置が、ノイズの発生源の位置を推定する構成が考えられる。しかしながら、このような構成を採用した画像形成装置の演算処理は多大になってしまう。そこで、本実施形態では、記憶部２１２は、図５で説明した関連情報を予め記憶する。関連情報は、ジョブの種別と、マイク１８０による音声の検出位置（第２位置）とが関連付けられた情報である。切換部２０８は、図５の関連情報を参照して、実行中のジョブの種別に基づいてマイクの移動位置を決定して、切換制御を実行する。したがって、画像形成装置１は、多大な演算処理（ノイズの発生源の位置を推定する処理）を実行しなくても、マイクの移動位置を決定することができる。
【０１１４】
（１２）  また、図２で説明したように、画像形成装置１は、種々の接続装置５２０と接続可能である。さらに、切換部２０８は、図５の関連情報を参照して、実行中のジョブの種別のみならず、接続されている接続装置５２０の種別に基づいて、マイク１８０の移動位置を決定して、切換制御を実行する。したがって、画像形成装置１に接続装置５２０が接続されたとしても、柔軟な切換制御を実行することができる。
【０１１５】
［第２実施形態］
第１実施形態の画像形成装置は、マイク１８０が配置されている可動装置が、操作パネル装置１０であるとして説明した。第２実施形態の画像形成装置では、マイク１８０が配置されている可動装置が、原稿押さえ装置１０８であるとして説明する。
【０１１６】
図１７は、マイク１８０が配置されている可動装置が、原稿押さえ装置１０８である場合、つまり、マイク１８０が配置されている原稿押さえ装置１０８を示した図である。
【０１１７】
図１７は、特定部２１０が、マイク１８０の移動先の位置（第２位置）として、「画像形成装置の正面に存在するユーザーから見て上側の位置（Ｚ軸方向の正方向）」を特定した場合を示す。図１７（Ａ）は、原稿押さえ装置１０８が閉じた状態である場合を示す。また、図１７（Ａ）は、マイク１８０の位置が第１位置である場合を示す図でもある。また、切換部２０８は、「用紙押さえ装置を開けて下さい」という促進画像１９０を表示する。
【０１１８】
該促進画像１９０を視認したユーザーは、原稿押さえ装置１０８を開ける。そうすると、図１７（Ｂ）に示すように、原稿押さえ装置１０８が開けられることにより、マイク１８０の位置（マイク１８０の音声の検出位置）が、第２位置となる。原稿押さえ装置１０８が開いている状態とは、ユーザーが原稿を載置面１８２にセットできる状態である。
【０１１９】
図１８は、本実施形態におけるマイク１８０とユーザーＵとの距離、およびマイク１８０とノイズ発生源αとの距離を示す図である。原稿押さえ装置１０８は、駆動軸１８７を中心として開閉可能である。図１８に示すように、原稿押さえ装置１０８が閉じることにより、マイク１８０による音声の検出位置は第１位置Ａ１となる。原稿押さえ装置１０８が開くことにより、マイク１８０による音声の検出位置は第２位置Ａ２となる。したがって、ユーザーＵ（ユーザーＵの口元）と、マイク１８０（Ａ１）との距離を距離Ｌ１＞ユーザーＵ（ユーザーＵの口元）と、マイク１８０（Ａ２）との距離Ｌ２となる。また、ノイズ発生源αと、マイク１８０（Ａ２）との距離を距離Ｌ４＞ノイズ発生源αと、マイク１８０（Ａ１）との距離を距離Ｌ３となる。
【０１２０】
第２実施形態の画像形成装置のフローチャートを図１６を用いて説明する。第２実施形態では、図１６のステップＳ１０およびステップＳ２０における括弧書き内の原稿押さえ装置が採用されたフローチャートとなる。
【０１２１】
本実施形態の画像形成装置であれば、第１実施形態の画像形成装置が奏する効果と同様の効果を奏する。また、本実施形態の画像形成装置によれば、マイク１８０が配置されている可動装置は、原稿押さえ装置１０８である。原稿押さえ装置１０８は、従来から、開閉可能な部材である（駆動可能な部材である）。したがって、原稿押さえ装置１０８に特別な機構を設けなくても、原稿押さえ装置１０８を駆動可能な可動装置とすることができる。
【０１２２】
また、本実施形態では、図１８に示すように、原稿押さえ装置１０８が閉じることにより、マイク１８０による音声の検出位置は第１位置Ａ１となる。原稿押さえ装置１０８が開くことにより、マイク１８０による音声の検出位置は第２位置Ａ２となる。したがって、「切換部２０８が促進画像１９０を表示する」、「該促進画像１９０を視認したユーザーが原稿押さえ装置１０８を開ける」、「原稿押さえ装置１０８が開けられた状態でユーザーが載置面１８２に原稿をセットする」、「原稿押さえ装置１０８が開けられた状態で（マイク１８０の検出位置が第２位置である状態で）ユーザーは音声を発する」、という流れをスムーズにすることができる。
【０１２３】
［第３実施形態］
第１実施形態および第２実施形態では、マイクによる音声の検出位置を切換えるための切換制御が、可動装置（操作パネル装置１０または原稿押さえ装置１０８）を駆動することをユーザーに促進する制御であるとして説明した。第３実施形態の切換制御は、画像形成装置１（切換部２０８）が、可動装置を駆動する制御であるとして説明する。第３実施形態では、切換部２０８が、可動装置を駆動させることができる駆動機構（特に図示せず）を含む。該駆動機構は、たとえば、ギア、およびモータなどを含む。
【０１２４】
図１９は、本実施形態の画像形成装置１のフローチャートである。図１９は、図１６のステップＳ１０およびステップＳ１２が、ステップＳ１１０に代替されたフローチャートである。ステップＳ１１０では、切換部２０８が、可動装置を駆動することより、マイク１８０の位置（マイク１８０による音声の検出位置）を第２位置に到達させる。
【０１２５】
本実施形態の画像形成装置１は、マイク１８０の位置（マイク１８０による音声の検出位置）を第２位置に到達させる。したがって、ユーザーの処理負担を軽減できる。
【０１２６】
なお、第３実施形態の思想は、可動装置が、操作パネル装置１０および原稿押さえ装置１０８のいずれであっても、適用することができる。
【０１２７】
［第４実施形態］
第４実施形態の可動部は、駆動可能なアームを含む。駆動とは、たとえば、伸縮、折りたたみ、移動（格納場所（ホームポジション）からの突出など）を含む。本実施形態では、アームは伸縮可能な部材であるとする。図２０は、可動装置が操作パネル装置１０である場合における第４実施形態の画像形成装置を説明するための図である。図２０に示すように、可動装置は伸縮可能なアーム６００を有する。図２０に示すように、切換部２０８は、操作パネル装置１０を駆動させ、かつアーム６００を延伸させることより、マイク１８０による音声の検出位置を第１位置Ａ１から第２位置Ａ２に切換える。
【０１２８】
図２１は、可動装置が原稿押さえ装置１０８である場合における第４実施形態の画像形成装置を説明するための図である。図２１に示すように、可動装置は伸縮可能なアーム６０２を有する。図２１に示すように、切換部２０８は、操作パネル装置１０を駆動させ、かつアーム６０２を延伸させることより、マイク１８０による音声の検出位置を第１位置Ａ１から第２位置Ａ２に切換える。
【０１２９】
本実施形態の画像形成装置であれば、可動装置の駆動のみならず、アーム６０２の駆動（延伸）により、マイク１８０による音声の検出位置を第１位置Ａ１から第２位置Ａ２に切換えることができる。したがって、可動装置の駆動のみで、マイク１８０による音声の検出位置を切換える画像形成装置と比較して、さらに、マイク１８０をユーザーに近づけるとともに、ノイズ発生源かαから遠ざけることができる。
【０１３０】
［第５実施形態］
第５実施形態は、可動装置が操作パネル装置１０および原稿押さえ装置１０８のいずれも含まずに、アーム６０２を含む実施形態である。図２２は、第５実施形態の画像形成装置を説明するための図である。図２２に示すように、切換部２０８は、アーム６０２を延伸させることより、マイク１８０による音声の検出位置を第１位置Ａ１から第２位置Ａ２に切換える。
【０１３１】
本実施形態の画像形成装置であれば、たとえば、操作パネル装置１０を駆動可能とする特別な機構を備えずに、マイク１８０による音声の検出位置を第１位置Ａ１から第２位置Ａ２に切換えることができる。
【０１３２】
［第６実施形態］
図２３は、第６実施形態の画像形成装置１のフローチャートである。図２３は、図１６のフローチャートのステップＳ４とステップＳ６との間に、ステップＳ１２０が介在されたフローチャートである。実行制御部２０６は、ステップＳ１２０において、ステップＳ４で実行されているジョブが画像形成ジョブであるか否かを判断する。画像形成ジョブは、画像（たとえば、セットされた原稿の画像）をスキャンするスキャン処理と、該スキャンされた画像を用紙に印刷する印刷処理とを含む。また、印刷処理は、スキャンした画像を示す画像データについて、感光体を帯電する処理、感光体を露光する処理、感光体にトナー像を現像する処理、用紙に転写する処理などを含む。このように、印刷処理は、スキャン処理によりも処理工程数が多い。したがって、スキャン処理を完了させるために要する時間は、印刷処理が完了させるために要する時間よりも短い。
【０１３３】
そこで、ステップＳ１２０においては、実行制御部２０６は、実行されている画像形成ジョブのうちのスキャン処理を中断するとともに、実行されている印刷処理を継続する。また、たとえば、ステップＳ１６でＹＥＳと判断された以降の所定のタイミングで、実行制御部２０６は、中断していたスキャン処理を再開する。
【０１３４】
本実施形態の画像形成装置１によれば、音声入力中に（たとえば、ステップＳ１４の処理中に）、スキャン処理に基づくノイズの発生を停止させることができる。したがって、本実施形態の画像形成装置１は、印刷処理およびスキャン処理の双方を実行しているときのノイズレベルと比較して、ノイズレベルを低減できる。また、スキャン処理を完了させるために要する時間は、印刷処理が完了させるために要する時間よりも短い。したがって、スキャン処理を中断する本実施形態の画像形成装置は、印刷ジョブを停止させる画像形成装置と比較して画像形成ジョブの生産性の低下度合いを低減できる。
【０１３５】
［第７実施形態］
前述の実施形態では，マイク１８０の数は１つであるとして説明した。第７実施形態の画像形成装置は、複数のマイクを備える。図２４は、本実施形態の画像形成装置１Ａの全体構成を示す図である。画像形成装置１Ａは、複数のマイクとして、マイク１８０Ａ、マイク１８０Ｂ、マイク１８０Ｃ、およびマイク１８０Ｄという４つのマイクを有する。なお、本実施形態においては、４つのマイクのうちデフォルトのマイク（たとえば、マイク１８０Ａ）が音声認識用のマイクとして定められている。また、デフォルトのマイクによる音声の検出位置が、「第１位置」に対応する。
【０１３６】
本実施形態の画像形成装置１Ａは、４つのマイクのいずれにおいても音声認識可能である。
【０１３７】
図２５は、本実施形態の画像形成装置１Ａの処理の流れを示すフローチャートである。ステップＳ４でＮＯと判断されると、ステップＳ２０２において、音声受付部２０２は、４つのマイクから入力された音声のそれぞれに対して音声認識処理を開始する。音声受付部２０２は、該音声認識処理を一定期間Ｔに亘って実行する。
【０１３８】
次に、ステップＳ２０４において、音声受付部２０２は、４つのマイクから入力された音声のそれぞれに対して音声認識処理の結果に基づいて、音声の認識率が高い音声が入力されたマイクを特定する。
【０１３９】
ここで、音声の認識率は、たとえば、適切に音声認識されている期間を、一定期間Ｔで除算した値である。たとえば、実行されているジョブに起因するノイズの発生源から近いマイクに入力された音声については、ノイズが混在することから、適切に音声認識される期間は短くなる。したがって、ノイズの発生源から近いマイクに入力された音声は、音声の認識率が低くなる。
【０１４０】
一方、実行されているジョブに起因するノイズの発生源から遠いマイクに入力された音声については、ノイズが混在しないまたはノイズが混在し難いことから、適切に音声認識される期間は長くなる。したがって、ノイズの発生源から遠いマイクに入力された音声は、音声の認識率は高くなる。
【０１４１】
また、音声の認識率は他の事項を意味するものであってもよい。音声の認識率は、たとえば、音声レベルであるとしてもよい。
【０１４２】
このように、ステップＳ２０４において、切換部２０８は、音声認識用のマイクとして、デフォルトのマイクから、音声の認識率が高いマイクに切換える。このように、本実施形態では、切換部２０８は、実行されているジョブに応じて、マイクの検出位置（音声認識用のマイク）を切換える制御を実行する。また、切換部２０８により切換えられた音声認識用のマイクによる音声の検出位置が、「第２位置」に対応する。
【０１４３】
また、特定部２１０が、ジョブの発生に起因するノイズの発生源を特定して、切換部２０８は、該特定されたノイズの発生源から最も離れた位置のマイクを音声認識用のマイク（マイクの検出位置）に切換えるようにしてもよい。
【０１４４】
次に、ステップＳ２０６において、音声受付部２０２は、切換部２０８により切換えられたマイク（音声認識用のマイク）に入力された音声に対して音声認識処理を実行する。なお、ステップＳ４においてＮＯと判断された場合には、ステップＳ２０４の処理が実行されない。したがって、ステップＳ２０６においては、音声受付部２０２は、デフォルトのマイクから入力された音声に対して音声認識処理を実行する。
【０１４５】
本実施形態の画像形成装置１Ａによれば、複数のマイク（複数の音声の検出位置）を備え、たとえば、実行されているジョブに応じて、マイクによる音声の検出位置を切換える。したがって、本実施形態の画像形成装置は、前述の実施形態と同様の効果を奏する。また、本実施形態の画像形成装置であれば、マイクを備える可動装置を備えていないことから、ユーザーに該可動装置を駆動させる処理、および画像形成装置が該可動装置を駆動する処理を削減することができる。
【０１４６】
［変形例］
（１）  本実施形態では、切換部２０８は、マイク１８０による音声の検出位置を切換えるための切換制御を、「実行中のジョブ」に応じて実行するとして説明した。しかしながら、切換部２０８は、「実行中のジョブ」ではなく、「将来的に実行されることが確定しているジョブ」に応じて、切換制御を実行するようにしてもよい。「将来的に実行されることが確定しているジョブ」とは、たとえば、画像形成装置１において保留されているジョブである。
【０１４７】
このような実施形態の場合には、たとえば、図１６のステップＳ６において、特定部２１０は、「保留中のジョブおよび実行中のジョブ」および接続装置に基づいて、ノイズ発生源を特定する。このような構成を採用した画像形成装置であれば、ユーザーによる発声が開始したときには実行されていないジョブが、該発声の途中で開始されたときであっても、マイク１８０による音声の検出位置が第２位置に切換わっていることから、音声受付部２０２は適切な音声認識処理を実行することができる。
【０１４８】
（２）  本実施形態では、図１４などで示したように、ユーザーＵ（ユーザーＵの口元）と、第１位置にあるマイク１８０（Ａ１）との距離Ｌ１＞ユーザーＵ（ユーザーＵの口元）と、第２位置にあるマイク１８０（Ａ２）との距離Ｌ２であり、かつノイズ発生源αとマイク１８０（Ａ１）との距離Ｌ３＜ノイズ発生源αとマイク１８０（Ａ２）との距離Ｌ４であるとして説明した。
【０１４９】
しかしながら、Ｌ１＞Ｌ２である一方、Ｌ３≧Ｌ４となるようにしてもよい。つまり、第２位置は、ユーザーまでの距離が該第１位置よりも近い位置でもある一方、第２位置はジョブに起因するノイズの発生源までの距離が第１位置と同じ位置、または第２位置はジョブに起因するノイズの発生源までの距離が第１位置よりも近い位置としてもよい。
【０１５０】
また、Ｌ１≦Ｌ２である一方、Ｌ３＜Ｌ４となるようにしてもよい。つまり、第２位置は、ユーザーまでの距離が該第１位置よりも遠い位置、または第２位置は、ユーザーまでの距離が該第１位置と同じ位置である一方、第２位置は、ジョブに起因するノイズの発生源までの距離が第１位置よりも遠い位置としてもよい。
【０１５１】
（３）  上述の実施形態では、図１６などのステップＳ２で説明したように、音声受付部２０２（マイク１８０）により、ユーザーからの音声を検知した場合に、ステップＳ４以降の処理を実行するとして説明した。つまり、上述の実施形態では、ステップＳ１０などの切換制御が実行される実行契機は、音声受付部２０２（マイク１８０）により、ユーザーからの音声を検知したという契機であるとして説明した。しかしながら、実行契機は、他の実行契機であってもよい。たとえば、他の実行契機は、図１６、図１９、図２３，および図２５のステップＳ２の括弧書きで示したように、画像形成装置に対して原稿がセットされたという契機（載置面１８２に原稿が載置されたという契機）としてもよい（図１６、図１９、図２３、および図２５のステップＳ２の括弧書き参照）。
【０１５２】
画像形成装置のマイク１８０に音声を入力しようとしているユーザーが、原稿をセットするということは、該原稿に基づく処理を音声認識により画像形成装置に実行させる意思があるということである。したがって、本変形例の画像形成装置は、切換制御が実行される実行契機を、「原稿がセットされるという契機」にすることにより、「ユーザーが原稿をセットする」、「マイク１８０が第２位置に到達する」、「ユーザーが音声を発する」という流れをスムーズに形成することができる。
【０１５３】
また、切換制御の実行契機は、「原稿がセットされ、かつ音声受付部２０２（マイク１８０）により、ユーザーからの音声を検知した」という契機としてもよい。
【０１５４】
（４）  また、画像形成装置１は、ユーザーの位置を検出する人感センサーを備えるようにしてもよい。切換部２０８は、マイク１８０の検出位置を、人感センサーにより検出された人間（ユーザー）に、マイク１８０の検出位置が近づくように、マイク１８０の検出位置を切換えるようにしてもよい。
【０１５５】
（５）  また、画像形成装置は、マイク１８０による音声の検出位置を切換えた後などにおいて、所定の表示領域（たとえば、操作パネル装置１０の表示領域）に、画像形成装置のジョブの実行に起因するノイズのレベルと、音声認識を適切に実行可能な閾値レベル（音声認識処理が許容される閾値レベル）とを表示するようにしてもよい。たとえば、ノイズのレベルが閾値レベルを超えている場合には音声認識処理が適切に実行されない可能性が高い。したがって、本変形例の画像形成装置は、ノイズのレベルと、閾値レベルとを視認したユーザーにマイク１８０を移動させることを促進できる。
【０１５６】
（６）  また、特定部２１０は、図１６などのステップＳ６において、ノイズ発生源の位置を特定するとして説明した。しかしながら、特定部２１０は、図１６などのステップＳ６を実行せずに、ステップＳ８において、マイク１８０の移動先を特定するようにしてもよい。
【０１５７】
（７）  図１６などでは、画像形成装置は、ステップＳ１８の処理をステップＳ２０の処理よりも前に実行するとして説明した。しかしながら、画像形成装置は、ステップＳ１８の処理をステップＳ２０の後に実行する構成を採用してもよい。
【０１５８】
また、上記の実施形態および変形例で説明した技術事項の少なくとも一部を、たとえば、他の実施形態または他の変形例に適用するようにしてもよい。
【０１５９】
今回開示された実施の形態はすべての点で例示であって制限的なものではないと考えられるべきである。本発明の範囲は、上記した説明ではなく、特許請求の範囲によって示され、特許請求の範囲と均等の意味および範囲内でのすべての変更が含まれることが意図される。
【符号の説明】
【０１６０】
１  画像形成装置、２  スキャナ、４  フィーダ、６  プリントエンジン、８  トレー
９  給紙部、１０  操作パネル装置、１０２  ＲＯＭ、１０７  実行部、１０８  原稿押さえ装置、１９０  促進画像、１９２  操作スイッチ、２００  制御装置、２０２  音声受付部、２０４  ジョブ受付部、２０６  実行制御部、２０８  切換部、２１０  特定部、２１２  記憶部、４００  用紙収容装置、５００  後処理装置、５２０  接続装置。
【図１】
2020155804.tif 000003
【図２】
2020155804.tif 000004
【図３】
2020155804.tif 000005
【図４】
2020155804.tif 000006
【図５】
2020155804.tif 000007
【図６】
2020155804.tif 000008
【図７】
2020155804.tif 000009
【図８】
2020155804.tif 000010
【図９】
2020155804.tif 000011
【図１０】
2020155804.tif 000012
【図１１】
2020155804.tif 000013
【図１２】
2020155804.tif 000014
【図１３】
2020155804.tif 000015
【図１４】
2020155804.tif 000016
【図１５】
2020155804.tif 000017
【図１６】
2020155804.tif 000018
【図１７】
2020155804.tif 000019
【図１８】
2020155804.tif 000020
【図１９】
2020155804.tif 000021
【図２０】
2020155804.tif 000022
【図２１】
2020155804.tif 000023
【図２２】
2020155804.tif 000024
【図２３】
2020155804.tif 000025
【図２４】
2020155804.tif 000026
【図２５】
2020155804.tif 000027